(57)【要約】【課題】本願発明は、肩関節の外転角度を迅速、かつ確実に、しかも容易に調節せしめ、常に適正に装着して使用に供することが出来る、肩関節固定装具を提供するものである。【解決手段】腋下に挟み込み自在とされた横断面略三角形状の装具本体２と、肩関節の外転角度を所要の角度に調節せしめるべく該装具本体２上に重着自在な所要数の横断面略三角形状の角度調節部材９・１０と、腕を固定せしめるべく該角度調節部材９・１０に係着自在とされた腕ベルト１７・１８とよりなり、上記装具本体２には体幹２１に装着せしめるべく胴ベルト５と肩ベルト６とが各々付設されいる。【選択図】図３
2012090920.tif 000002
【特許請求の範囲】
【請求項１】
腋下に挟み込み自在とされた横断面略三角形状の装具本体と、肩関節の外転角度を所要
の角度に調節せしめるべく該装具本体上に重着自在な所要数の横断面略三角形状の角度調
節部材と、腕を固定せしめるべく該角度調節部材に係着自在とされた腕ベルトとよりなり
、上記装具本体には体幹に装着せしめるべく胴ベルトと肩ベルトとが各々付設されてなる
ことを特徴とする、肩関節固定装具。
【請求項２】
上記腕ベルトは上腕と前腕とを各々固定せしめるべく上腕ベルトと前腕ベルトとより構成されてなることを特徴とする、請求項１記載の肩関節固定装具。
【発明の詳細な説明】
【技術分野】
【０００１】
本発明は、肩腱板損傷、上腕骨及び肩周辺の亜脱臼、脱臼、骨折等のさいに肩関節の外
転保持を行なうための肩関節固定装具に関する。
【背景技術】
【０００２】
肩関節は、人体の全ての関節の中で最も脱臼が起こりやすく、労働災害としてもスポ−
ツ時においてもその障害は頻繁にみられるものである。
ところで、肩関節とは、肩甲骨と上腕骨との間にある典型的な球関節であり、その運動
は多軸性で人体中最も可動性の大な関節であって、脱臼しやすいものとなっている。そし
て、かかる脱臼の治療は、症候や障害部位などによって種々存在するが、概ね保存的療法
と手術による療法とに大別され、特に保存的療法においては個々の症例に応じた安静肢位
を保持すべく肩関節固定装具を装着使用するものとされている。
【０００３】
ところで、上記肩関節固定装具の一例として、特開平３−１５５８５６号公報には、腋
下に挟み込み自在とされた横断面略直角三角形状のクッション袋と、該クッション袋を体
幹に固定する胴ベルト及び肩ベルトと、腕をクッション袋に固定する腕ベルトより構成さ
れたものが開示されている。    
そして、上述の如く構成された肩関節固定装具は、クッション袋を腋下に挟み込んで所
定の外転角度に保持せしめつつ、胴ベルトと肩ベルトにより体幹に固定せしめると共に、
クッション袋上に腕ベルトを介して腕を固定せしめて使用に供するものとされている。
【０００４】
また、実用新案登録第３０３５５５８号公報には、腋下に挟み込み自在とされた略台形
状の腋下パッドと、該腋下パッドを体幹に固定する胴ベルト及び肩ベルトと、腕を腋下パ
ッドと胴ベルトに各々固定する腕ベルトとより構成された肩関節固定装具が開示されてい
る。
そして、上述の如く構成された肩関節固定装具は、腋下に腋下パッドを挟み込こんで所
定の外転角度に保持せしめつつ、胴ベルトと肩ベルトにより体幹に固定せしめると共に、
腕を腋下パッドと胴ベルトに固定せしめて使用に供するものとされている。
【０００５】
ところで、上記特開平３−１５５８５６号公報記載の肩関節固定装具は、腕を所定の外
転角度でもってクッション袋上に載置せしめつつ、腕ベルトでもって固定せしめるもので
あるから、皮膚や腕神経への圧迫感が少なく、装着感が非常に良好である反面、単に腕を
クッション袋上に載置して固定するにすぎないものであるから、肩関節の外転角度を自由
に調節することが出来ないものである。このため、例えば、肩関節回旋筋腱板断裂の修復
手術後等において必要とされる肩関節の外転角度調節には対処することが出来ないもので
ある。
また、実用新案登録第３０３５５５８号公報記載の肩関節固定装具は、腋下に腋下パッ
ドを挟み込みつつ容易に肩関節を所要の外転角度に固定せしめることが出来る反面、上記
従来例と同様に肩関節の外転角度を自由に調節することが出来ないものである。
【０００６】
かかる従来の肩関節固定装具の問題点を解決するものとして、特開２００９−１０６７
１６号公報には、エアバッグを充填せしめたバッグ状の装具本体と、該装具本体を体幹に
固定せしめる胴ベルト及び肩ベルトと、腕を装具本体に固定せしめる上腕ベルト及び前腕
ベルトとより構成されたものが開示されている。
【０００７】
そして、上述の如く構成された肩関節固定装具は、エア充填量を調節して所要の外転角
度に調整せしめたエアバッグを装具本体内に充填し、胴ベルト及び肩ベルトにより体幹に
固定せしめると共に、腕を上腕・前腕ベルトにより装具本体に固定せしめて使用に供する
ものである。
【先行技術文献】
【特許文献】
【０００８】
【特許文献１】特開平３−１５５８５６号公報
【特許文献２】実用新案登録第３０３５５５８号公報
【特許文献３】特開２００９−１０６７１６号公報
【発明の概要】
【発明が解決しようとする課題】
【０００９】
ところで、上述の如く構成された特開２００９−１０６７１６号公報記載の肩関節固定
装具は、症状に応じて肩関節の外転角度を適宜自由に調節することが出来るものである。
しかしながら、外転角度の調節は、エアバッグのエア充填量を調節して行なうものとさ
れているから、外転角度の調節が非常に面倒で適正角度に調節せしめずらいのみならず、
外転角度を小に調節せしめるべくエアバッグのエア充填量を少くした場合には、エアバッ
グのみならず装具本体が縮んで不定形状に変形し、上腕や前腕を適正に固定せしめずらい
ものである。
【００１０】
本発明は従来の課題を解決し、肩関節の外転角度を迅速、かつ確実に、しかも容易に調
節せしめ、常に適正に装着して使用に供することが出来る、肩関節固定装具を提供しよう
とするものである。
【課題を解決するための手段】
【００１１】
上記の目的を達成するため、本発明の請求項１記載の発明は、腋下に挟み込み自在とさ
れた横断面略三角形状の装具本体と、肩関節の外転角度を所要の角度に調節せしめるべく
該装具本体上に重着自在な所要数の横断面略三角形状の角度調節部材と、腕を固定せしめ
るべく該角度調節部材に係着自在とされた腕ベルトとよりなり、上記装具本体には体幹に
装着せしめるべく胴ベルトと肩ベルトとが各々付設されてなることを特徴とする、肩関節
固定装具を要旨とするものである。
【００１２】
本発明の請求項２記載の発明は、上記腕ベルトは上腕と前腕とを各々固定せしめるべく
上腕ベルトと前腕ベルトとより構成されてなることを特徴とする、請求項１記載の肩関節
固定装具を要旨とするものである。
【発明の効果】
【００１３】
本発明の請求項１記載の発明は、上述のように構成されているから、装具本体上に所要
数の角度調節部材を重着して所要の外転角度に調節せしめたのち、胴ベルトと肩ベルトに
より体幹に固定せしめると共に、腕を腕ベルトでもって固定せしめて使用に供することが
出来るものであって、常に装着本体上に所要数の角度調節部材を重着せしめるという極め
て簡単な操作でもって肩関節の外転角度を迅速、かつ、確実に角度調節せしめることが出
来るものである。    
【００１４】
本発明の請求項２記載の発明は、上述のように構成されているから、肩関節の外転角度
調節に応じて上腕・前腕ベルトを最上段の角度調節部材上の所要位置に自由に係着せしめ
ることが出来るものであって、ひいては、上腕及び前腕を各々最上段の角度調節部材上に
無理なく自然な姿勢でもって固定せしめることができ、極めて装着感がよいものである。
【図面の簡単な説明】
【００１５】
【図１】本発明の一実施例を示す分解斜視図である。
【図２】実施例の装具本体２と第１・第２角度調節部材９・１０を示す横断面図である。
【図３】本発明の使用状態を示す正面図である。
【図４】本発明の他の使用状態を示す正面図である。
【発明を実施するための形態】
【００１６】
以下に、本発明を実施するための形態を図面に示す一実施例に基づいて詳細に説明する
。
【００１７】
図１及び図２は本発明の一実施例にかかる肩関節固定装具１を示すもので、２は該肩関
節固定装具１を構成する装具本体で、該装具本体２は腋下に挾み込み自在とされた横断面
略隅丸二等辺三角形状の合成樹脂製芯材３に雌面ファスナ−４を被覆せしめることにより
形成されている。５・６は上記装具本体２に雄面ファスナ−７・８を介して係脱自在に取
付けられた長さ調節具付き胴ベルトと肩ベルトである。９・１０は肩関節の外転角度を調
節せしめるべく上記装具本体２上に順次重着自在とされた第１角度調節部材と第２角度調
節部材で、該第１・第２角度調節部材９・１０は各々横断面略隅丸二等辺三角形状の合成
樹脂製芯材１１・１２に雌面ファスナ−１３・１４を被覆せしめることにより形成される
と共に、対応する装具本体２や第１・第２角度調節部材９・１０の雌面ファスナ−４・１
３・１４に重着状に係着せしめるべく雄面ファスナ−１５・１６が各々取着されている。
１７・１８は第１・第２角度調節部材９・１０の雌面ファスナ−１３・１４に雄面ファス
ナ−１９・２０を介して係着自在とされた上腕ベルトと前腕ベルトで、該上腕ベルト１７
・前腕ベルト１８は肩関節の外転角度調節に応じて第１・第２角度調節部材９・１０の所
要位置に自由に係着せしめるべく構成されている。    
その他、２１は人体の体幹、２２は上腕、２３は前腕を各々示す。
【００１８】
そして、上述の如く構成された実施例は、装具本体２上に雌面ファスナ−４・１３と雄
面ファスナ−１５・１６を介して所要数の第１・第２角度調節部材９・１０を重着せしめ
つつ、所要の外転角度に調節せしめたのち、胴ベルト５・肩ベルト６により体幹２１に固
定せしめると共に、上腕２２と前腕２３を各々上腕・前腕ベルト１７・１８でもって固定
せしめる。
即ち、例えば、肩関節の外転角度を大にして装着せしめる場合には、図３に図示するよ
うに、装具本体２上に雌面ファスナ−４・１３と雄面ファスナ−・１５・１６を介して第
１・第２角度調節部材９・１０を各々重着せしめ、外転角度を大に調節せしめたのち、胴
ベルト５・肩ベルト６でもって体幹２１に固定せしめる。しかるのち、最上段の第２角度
調節部材１０上に腕を所定の外転角度でもって載置せしめると共に、該腕に上腕ベルト１
７と前腕ベルト１８を各々当てがいつつ、第２角度調節部材１０に雌面ファスナ−１４と
雄面ファスナ−・１９・２０でもって係着せしめ、腕の上腕２２と前腕２３を外転角度が
大な状態に固定せしめる。
このさい、肩関節の外転角度に対応して上腕ベルト１７及び前腕ベルト１８を第２角度
調節部材１０上の所要位置に自由に係着せしめるものであるから、上腕２２及び前腕２３
を各々最上段の第２角度調節部材１０上に無理なく自然な姿勢でもって固定せしめること
ができ、極めて装着感が良いものである。   
【００１９】
そして、例えば、肩関節回旋筋腱板断裂の修復手術後等において肩関節の外転角度を小
さく調節する場合には、図４に図示するように、装具本体２上に第１角度調節部材９を重
着して外転角度を小さく調節せしめたのち、胴ベルト５・肩ベルト６でもって体幹２１に
固定する。しかるのち、第１角度調節部材９に腕を載置せしめ、該腕に上腕ベルト１７と
前腕ベルト１８を当てがいつつ、雌面ファスナ−４・雄ファスナ−１５を介して第１角度
調節部材９上に係着せしめ、腕の上腕２２と前腕２３を外転角度が小さな状態に固定せし
める。このように、本願発明にかかる肩関節固定装具１は、図３及び図４に図示するよう
に、装具本体２上に所要数の第１・第２角度調節部材９・１０を適宜重着せしめ、肩関節
の外転角度を容易に、しかも、迅速、かつ、確実に調節せしめることが出来るものである
。
【００２０】
なお、上記実施例において、角度調節部材として第１・第２角度調節部材９・１０が示
されているが、これに限定されるものではなく、必要に応じてその個数を増減せしめてもよいものである。また、第１・第２角度調節部材９・１０は同一の厚みに形成されているが、第１角度調節部材９に対して第２角度調節部材１０の厚みを薄く形成せしめ、外転角度の調節幅を漸次小さく設定せしめるべく形成せしめてもよいものである。
【符号の説明】
【００２１】
１  肩関節固定装具
２  装具本体
５  胴ベルト
６  肩ベルト
９  第１角度調節部材
１０  第２角度調節部材
１７  上腕ベルト
１８  前腕ベルト
【図１】
2012090920.tif 000003
【図２】
2012090920.tif 000004
【図３】
2012090920.tif 000005
【図４】
2012090920.tif 000006